(57)【特許請求の範囲】
【請求項１】
平行な上板と下板の、下板の一端が上板の一端よりも延びており、当該延びた下板と上板の一端は傾斜板で閉鎖され、該閉鎖された側の上板先端に、下板を貫通してネジ脚が設けられ、スリットが設けられた他端は開放されて、上板と下板の間隙には天板と脚を有する床材が嵌合可能であるベランダ床材用カバー材。
【請求項２】
平行な上板と下板の、下板の一端が上板の一端よりも延びており、当該延びた下板と上板の一端は傾斜板で閉鎖され、該閉鎖された側の上板先端に、下板を貫通してネジ脚が設けられ、他端は開放されて、上板と下板の間隙には天板と脚を有する床材が嵌合可能であって、前記下板の開放された側端部近傍に小突起が設けられたベランダ床材用カバー材。
【請求項３】
平行な上板と下板の、下板の一端が上板の一端よりも延びており、当該延びた下板と上板の一端は傾斜板で閉鎖され、該閉鎖された側の上板先端に、下板を貫通してネジ脚が設けられ、スリットが設けられた他端は開放されたベランダ床材用カバー材が設置され、該カバー材の上板と下板の間隙には、天板と脚を有するベランダ床材が嵌合されていることを特徴とする床材。
【請求項４】
平行な上板と下板の、下板の一端が上板の一端よりも延びており、当該延びた下板と上板の一端は傾斜板で閉鎖され、ネジ脚下端と下板間に隙間が生じないように傾斜板、またはその延長線上に板体が設けられ、該閉鎖された側の上板先端に、下板を貫通してネジ脚が設けられ、他端は開放されて、上板と下板の間隙には天板と脚を有する床材が嵌合可能であるベランダ床材用カバー材。
【請求項５】
平行な上板と下板の、下板の一端が上板の一端よりも延びており、当該延びた下板と上板の一端は傾斜板で閉鎖され、ネジ脚下端と下板間に隙間が生じないように傾斜板、またはその延長線上に板体が設けられ、該閉鎖された側の上板先端に、下板を貫通してネジ脚が設けられ、他端は開放されたベランダ床材用カバー材が設置され、該カバー材の上板と下板の間隙には、天板と脚を有するベランダ床材が嵌合されていることを特徴とする床材。
【発明の詳細な説明】
【０００１】
【発明の属する技術分野】
本願発明はベランダ用等の床材用カバー及び床材に関する。
【０００２】
【従来の技術】
「図１０」は従来の施工状態の断面図であり、例えば、溝2１等の障害物の手前に、予め切断しないベランダ床材２４を敷設した後、上記床材と溝との間隙に、切断した床材２５を嵌め込んで施工を完成した。一般にこの方法では美観が劣る上、溝の位置に合わせてユニット床材を切断していたので、施工が手間取り能率が低かった。
また風がきついと床材がまくれ上がり、ベランダ床材の管理が煩雑であった。
【０００３】
一方特開平１０−１１５０７６号公報に調節用部材を敷設して、ユニット床材を敷設する方法も提案されているが、この方法も床材の高さ調整に手間がかかり、非能率的であった。
【０００４】
【発明が解決しようとする課題】
本願発明は、溝部分も簡単にカバーでき、切断せずに施工でき、強風でもまくれ上がらないベランダ用床材に関する。
【０００５】
【課題を解決するための手段】
本願発明は、平行な上板と下板の、下板の一端が上板の一端よりも延びており、当該延びた下板と上板の一端は傾斜板で閉鎖され、該閉鎖された側の上板先端に、下板を貫通してネジ脚が設けられ、スリットが設けられた他端は開放されて、上板と下板の間隙には天板と脚を有する床材が嵌合可能であるベランダ床材用カバー材、平行な上板と下板の、下板の一端が上板の一端よりも延びており、当該延びた下板と上板の一端は傾斜板で閉鎖され、該閉鎖された側の上板先端に、下板を貫通してネジ脚が設けられ、他端は開放されて、上板と下板の間隙には天板と脚を有する床材が嵌合可能であって、前記下板の開放された側端部近傍に小突起が設けられたベランダ床材用カバー材、平行な上板と下板の、下板の一端が上板の一端よりも延びており、当該延びた下板と上板の一端は傾斜板で閉鎖され、該閉鎖された側の上板先端に、下板を貫通してネジ脚が設けられ、スリットが設けられた他端は開放されたベランダ床材用カバー材が設置され、該カバー材の上板と下板の間隙には、天板と脚を有するベランダ床材が嵌合されていることを特徴とする床材、平行な上板と下板の、下板の一端が上板の一端よりも延びており、当該延びた下板と上板の一端は傾斜板で閉鎖され、ネジ脚下端と下板間に隙間が生じないように傾斜板、またはその延長線上に板体が設けられ、該閉鎖された側の上板先端に、下板を貫通してネジ脚が設けられ、他端は開放されて、上板と下板の間隙には天板と脚を有する床材が嵌合可能であるベランダ床材用カバー材、平行な上板と下板の、下板の一端が上板の一端よりも延びており、当該延びた下板と上板の一端は傾斜板で閉鎖され、ネジ脚下端と下板間に隙間が生じないように傾斜板、またはその延長線上に板体が設けられ、該閉鎖された側の上板先端に、下板を貫通してネジ脚が設けられ、他端は開放されたベランダ床材用カバー材が設置され、該カバー材の上板と下板の間隙には、天板と脚を有するベランダ床材が嵌合されていることを特徴とする床材、をその要旨とする。
【０００６】
【発明の実施の形態】
「図１」は本願発明ベランダ床材用カバー材断面図であり、上板１と下板２が平行で、上板１の一端よりも下板の一端が長く延びており、上板端３と下板端４は傾斜板５で連結されて閉鎖されており、傾斜板の角度αは８０度以下が好適で更に好適には１０〜６０度である。
一方上板、下板の他端は開放６されている。また上板と下板の間隙７は公知の天板と脚を有するベランダ床材を嵌合できる高さである。
本願発明において、床カバー材先端には、皿ボルトと、かしめナットを組み合わせたネジ脚が、上板先端より床カバーを通って、下板を貫通して形成され、脚の長さが溝の深さに一致していると、このままカバー材で溝上部を覆い、カバー材にベランダ床材を嵌合して、施工を完成させる。
本願発明において、床カバー材先端には、皿ボルト８とかしめナット９とを組み合わせたネジ脚が、上板先端床カバー内部を通って、下板を貫通して形成され、孔１０は斜辺上端のすぐ側でもよく、若干離れた位置（０．５〜３ｃｍ）でもよい。ネジ孔１１は孔１０の奧にあって孔上方からねじ回しで、高さを調節する。下板の開放された他端に小突起が形成され、ベランダ床のはずれを防止してもよい。
【０００７】
また下板２は出来るだけガタツキを防止するためにも厚くないのが望ましく、望ましくは１．５ｍｍ以下でこのようにしてカバー材１２が得られる。カバー材１２全体は断面と直角の方向に樹脂押し出しまたは鉄板等で形成され、一定の長さを有する。望ましいカバー材の重量は５００ｇ／ｍ以上で、さらに望ましくは９００〜１００００ｇ／ｍである。またカバー材の上板または下板に適宜織布又は不織布等の補強材を介在させてもよい。
【０００８】
「図２」は床カバー材裏面図であり、カバー材１２後端の開放部下面にスリット１３，１３’が設けられ、このスリット間の部材はそれぞれ独立単位として、微妙に下地になじむので、下地の不陸が多少あっても脚を調節後、がたつかない。ベランダ床材の下面を流れた雨水等はこのスリットを通して溝に流れ込む。９はかしめナット、８’は皿ボルトの先端である。
【０００９】
「図３」は本発明他の床カバー材断面図で、斜辺が延長されており、ネジ脚下端と下板間に隙間が生じないように長さが調節可能な傾斜板、またはその延長線上に板体３１を設ける。ネジ脚の下端と同位置Ｌに傾斜板またはその延長線が形成される。
延長線は予め一定の長さであっても良いが、長さが調節可能であるのが望ましい。
このようにして床カバー材３２が得られる。
【００１０】
「図４」は「図３」の床カバー材部分拡大図であり、下板２一端上方に傾斜板５が取り付けられている。斜辺内部には嵌合孔３３が設けられ、これに傾斜板延長材の板体３１が抜け落ちないようにだんだん状またはなだらかな波型に設けられている。この延長材の長さを適宜延長して、ネジ脚３４の下端３５から下板２までを遮蔽する。「図５は」は図３の床カバー材斜視図である。
【００１１】
「図６」は本願発明ベランダ床材断面図であり、平行な上板１と下板２の両先端３，４に傾斜板５が結合しているカバー材１２の、上板、下板、傾斜板とで囲まれた空間１３に天板１４と脚１５を有するベランダ床材１６が嵌合されることにより、ベランダ床材の全部または一部がカバー材上下板に被覆され、脚は小突起３０で滑り防止となり、カバー材から外れない。
【００１２】
前述の通り上板の閉鎖された端部に孔をあけて、内部を通って、下板２を貫通しネジ脚２０を形成し、下板の下側でネジ脚を固定する。
ベランダ床材１６は脚１５が公知の方法例えば脚に固定された棒状体の孔への嵌合手段１８等で連結されている。
カバー材１２の高さは１５〜４０ｍｍで、ベランダ床材が余裕を持って嵌合される。
【００１３】
前部傾斜板と下板は、好ましくは角度８０度以下で傾斜している。この傾斜角であるので、例えば風速４０ｍ以下の強風が吹いてもベランダ床材の先端が風であおられてまくれることはない。
床材先端のカバー材１２の傾斜板５傾斜角αが８０度以下であると、強風Ｗが吹くと風の流方向に対し垂直に下向きの力Ｐが発生し、床材を下向きに押さえつけて、風が吹いても、床材のまくれ上がりを防止する。更に上記床材が相互連結されていると、強風での対策がさらに良いものになる。
カバー材先端にネジ付き脚２０が設けられ、脚はナット９で固定されて、ベランダ下地１９と溝上部が面一となり、溝上、または溝上でないベランダ床上面が同じ位置を保ち、ベランダ床材１６の仕上げを美しくした。またカバー材下板にスリットが入っており、矢印Ｄ方向に排水を溝２１に通すとともに、カバー材を不陸になじませる。
【００１４】
床材先端は切断しなくても良く、脚と天板を有するベランダ床材をカバー材内に嵌合した状態で床面に敷設して本願床材２２を得る。
【００１５】
「  図７」は他の本願ベランダ床材断面図であり、傾斜板５の先端にネジ脚下端とした板２を隠蔽する延長板体３１が形成され、ベランダ床カバー材に床パネル１４が嵌合された後、順次床パネル１６が敷設され、本願ベランダ床材３６が得られる。
【００１６】
「図８」は本願床材の一部切欠いた上面図で、例えば面下方の室内部分（図示せず）と、間仕切り材２３溝２１で囲まれた溝際空間において、天板と脚を有するベランダ床材１６が、先端を切断することなく並べられ、その先端はカバー材１２中に嵌合されている。カバー材先端は溝上にあり、脚２０で支えられている。並べられたベランダ床材先端をカバー材内に嵌合することにより、本願発明床材２２の施工は完成する。
【００１７】
「図９」は本願の他の実施状態平面図であり、溝２１は完全に延長板３１によって隠蔽されて見えず、外観上好ましい。
【００１８】
（発明の作用）予め溝と高さ調整された脚により、溝上の位置とベランダ面がほぼ水平になるので、溝上でも容易にベランダ床材が施工できる。また傾斜板またはその延長線により溝が隠され、ベランダ床全体の外観が向上する。
またカバー材先端が斜面なので、ベランダ用床材をこのカバー材に嵌合すると、風が通った時に下向きの力が働き、さらにネジ脚下端の位置まで傾斜板またはその延長線があり、隙間が無くなるので風でまくれ上がらない。
【００１９】
【実施例】
上板と下板が平行で、上板が１５０ｍｍ、下板が１５０ｍｍ巾で厚さが１．０ｍｍ、下板後部開放部に４本のスリットが設けられ、下板端が上板端より延びており、上板端と下板端を傾斜角度４５度の傾斜板で結合遮蔽した高さ２０ｍｍのポリ塩化ビニル製で重さ１３００ｇ／ｍの押し出しカバー材を得た。
溝のあるベランダ下地に、このカバー材上板の先端部から２．０ｃｍの位置に孔をあけて、下板を貫通したネジ脚を溝に置き、上記孔の上からねじ回しで高さ調整をして、溝と同じ深さに脚をかしめナットで固定して調整後、このカバー材に天板と脚を有するベランダ床材を切断することなく嵌合し、残りの施工部分に通常の方法でベランダ床材を敷き並べて施工した。敷設された床材は美観に優れ、ベランダ床材先端に切断することなくカバー材を嵌合するだけでよいのでベランダに溝があっても施工が簡単であった。また風速３５ｍの風にも捲れ上がらなかった。
【００２０】
【発明の効果】
溝際のベランダ施工をする場合、本願カバー材に従来公知のベランダ床材先端を嵌合することにより、溝があっても上記床材の施工面はほぼ水平に保たれるので、ベランダ床材施工が容易に完成した。カバー材下板のスリットにより、ベランダ下地不陸に適応でき、排水処理は円滑に出来た。ベランダ床材を切断しなくても施工は簡単であった。風速４０ｍ程度の風でも、床材はまくれ上がることはなかった。カバー材の傾斜板がスロープになっているので、歩行時につまずかなかった。カバー材に取り付けられた小突起により、ベランダ床材は外れなかった。
【００２１】
本願発明により、溝を完全にベランダ床材で覆うことにより、溝を視界から遮蔽して、ベランダ床の外観が良くなった。またネジ脚下端まで傾斜板またはその延長線があるので、相当強風が吹いても床材の下側に風が潜り込まずベランダ床材はまくれ上がらなかった。
【図面の簡単な説明】
【図１】  本発明カバー材の断面図である。
【図２】  本発明床カバー材の裏面図である。
【図３】  本発明他の床カバー材の断面図である。
【図４】  「図３」床カバー材の拡大図である。
【図５】  「図３」の床カバー材斜視図である。
【図６】  本発明ベランダ床材の断面図である。
【図７】  本発明他の本願ベランダ床材の断面図である。
【図８】  「図６」ベランダ床材の施工状態平面図である。
【図９】  「図７」ベランダ床材の施工状態平面図である。
【図１０】  従来の施工状態の断面図である。
【符号の説明】
１    上板
２    下板
５    傾斜板
１２    カバー材
２２    本発明床材
【図１】
0003741407.tif 000002
【図２】
0003741407.tif 000003
【図３】
0003741407.tif 000004
【図４】
0003741407.tif 000005
【図５】
0003741407.tif 000006
【図６】
0003741407.tif 000007
【図７】
0003741407.tif 000008
【図８】
0003741407.tif 000009
【図９】
0003741407.tif 000010
【図１０】
0003741407.tif 000011